(57)【要約】【課題】カップリングケースを分解することなく、外歯の歯面の点検を可能にする。【解決手段】内歯４，５を有するカップリングケース１内に設けられ、クラッチ操作によるカップリングケース１のスラスト方向へのスライドにより、内歯４，５が嵌脱する外歯６，７を有するカップリングセンター２，３を備えたギヤカップリング装置１０のカップリングケース１に点検口１１，１２を設ける。点検口１１，１２は、カップリングケース１を内歯４，５と外歯６，７との噛合が外れる方向にスライドさせたときに、外歯６，７の歯面を直視可能な位置に位置する。【選択図】図３
2006170402.tif 000002
【特許請求の範囲】
【請求項１】
クラッチ操作によりスラスト方向にスライドし、内歯を有するカップリングケースと、
該カップリングケース内に設けられ、前記カップリングケースのスライドにより、前記内歯が嵌脱する外歯を有するカップリングセンターと、
を備えたギヤカップリング装置の前記カップリングケースに設けられ、前記カップリングケースを前記内歯と前記外歯との噛合が外れる方向にスライドさせたときに、前記外歯の歯面を直視可能な位置に位置する点検口を備えた歯面点検機構を有するギヤカップリング装置。
【請求項２】
前記点検口を塞ぐ閉鎖部材を更に備えた請求項１に記載の歯面点検機構を有するギヤカップリング装置。
【請求項３】
前記閉鎖部材が、透明性のある材質でできている請求項１又は２に記載の歯面点検機構を有するギヤカップリング装置。
【請求項４】
前記点検口が、周方向に複数設けられている請求項１乃至３のいずれかに記載の歯面点検機構を有するギヤカップリング装置。
【請求項５】
前記カップリングセンターが、前記カップリングケース内に直列に２つ設けられている請求項１乃至４のいずれかに記載の歯面点検機構を有するギヤカップリング装置。
【発明の詳細な説明】
【技術分野】
【０００１】
本発明は、ギヤカップリング装置、特にクラッチ機能を備えたギヤカップリング装置に関し、クラッチを操作して、カップリングセンターの歯面を点検する機構を有するギヤカップリング装置に関する。
【背景技術】
【０００２】
工作機械の主軸同士の連結においては、継手として、特許文献１に記載されているようなギヤカップリングが用いられている。
【０００３】
【特許文献１】特開２００４−１６９８１５号公報
【発明の開示】
【発明が解決しようとする課題】
【０００４】
このようなギヤカップリング装置においては、主軸同士の軸ずれに対する可撓性を持たせるために、カップリングセンターの外歯の歯面を外方に凸な円弧形状にしている。この外歯は、内歯に比べて磨耗が激しいため、定期的にカップリングケースを分解して、その歯面の磨耗具合を点検する必要がある。分解したカップリングケースの再組立、その後のオイルの注入作業は、ともに時間を要するため、カップリングケースの分解は、オイル交換時に行われるのが一般的である。しかしながら、オイル交換がおろそかになると、外歯の歯面の点検回数が減り、歯面の磨耗が危険レベルに達したことに気付くのが遅れてしまう。歯面磨耗に起因する損傷事故を防止するためにも、カップリングケースを分解することなく、外歯の歯面の点検が可能となることが望まれる。
【０００５】
本発明の目的は、カップリングケースを分解することなく、外歯の歯面を点検することが可能な歯面点検機構を有するギヤカップリング装置を提供することである。
【課題を解決するための手段及び効果】
【０００６】
本発明の歯面点検機構を有するギヤカップリング装置は、クラッチ操作によりスラスト方向にスライドし、内歯を有するカップリングケースと、該カップリングケース内に設けられ、前記カップリングケースのスライドにより、前記内歯が嵌脱する外歯を有するカップリングセンターと、を備えたギヤカップリング装置の前記カップリングケースに設けられ、前記カップリングケースを前記内歯と前記外歯との噛合が外れる方向にスライドさせたときに、前記外歯の歯面を直視可能な位置に位置する点検口を備える。
【０００７】
本発明によると、カップリングケースをスライドさせれば、点検口から外歯の歯面を直視することができるため、カップリングケースを分解することなく、外歯の歯面を点検することができる。更に、カップリングセンターを空回りさせれば、外歯の歯面を全周に亙って点検することができる。
【０００８】
本発明においては、前記点検口を塞ぐ閉鎖部材を更に備えてよい。これによると、閉鎖部材を外して点検口から外歯の歯面を点検できると共に、点検口をオイル交換にも利用できる。
【０００９】
本発明においては、前記閉鎖部材が、透明性のある材質でできていてよい。これによると、閉鎖部材を外すことなく、閉鎖部材を介して外歯の歯面を点検することができる。
【００１０】
本発明においては、前記点検口が、周方向に複数設けられていてよい。これによると、複数の点検口のうち、点検作業をしやすい位置に位置した点検口から外歯の歯面を点検すればよいので、点検作業が楽になる。
【００１１】
本発明においては、前記カップリングセンターが、前記カップリングケース内に直列に２つ設けられていてよい。これによると、カップリングケースを分解することなく、２つのカップリングセンターの各々の外歯の歯面を点検することができる。
【発明を実施するための最良の形態】
【００１２】
以下、図面を参照しつつ、本発明に係る歯面点検機構を有するギヤカップリング装置の実施の形態について説明する。図１はカップリングケースのスライド前のギヤカップリング装置の断面図である。図２はクラッチの説明図であり、（ａ）は正面図、（ｂ）は側面図である。図３、図４はカップリングケースのスライド後のギヤカップリング装置の断面図である。
【００１３】
図１において、ギヤカップリング装置１０のカップリングケース１は、内歯４を備えた第１のギヤ体１ａと、内歯５を備えた第２のギヤ体１ｂとで構成される。第１のギヤ体１ａと第２のギヤ体１ｂとは、ボルト８ａとナット８ｂにより結合されている。
【００１４】
第１のギヤ体１ａの端部側近傍及び、第２のギヤ体１ｂの端部側近傍には、点検口１１，１２が周方向に複数設けられている（図示された点検口１１，１２の数はともに２つであるが、これに限定されない）。通常時には、これら点検口１１，１２はすべて、カップリングケース１内に充填されたオイルが外部に漏れ出さないように、閉鎖部材１３によって塞がれている。なお、図面の上半分は、閉鎖部材１３の図示を省略している。
【００１５】
閉鎖部材１３は、ガラス等の透明性のある材質でできている。よって、閉鎖部材１３を介して、カップリングケース１の内部を覗くことが可能である。
【００１６】
駆動側カップリングセンター２は、カップリングケース１内に設けられ、その端部外周に設けられた外歯６が、第１のギヤ体１ａの内歯４に噛合している。第１のギヤ体１ａに設けられたＯリング９ａは、駆動側カップリングセンター２の側面に当接して、カップリングケース１内に充填されたオイルが外部に漏れ出すのを防止している。このような駆動側カップリングセンター２には、図示しない駆動側機械の主軸が嵌入される。
【００１７】
従動側カップリングセンター３は、駆動側カップリングセンター２に対してスラスト方向に間隔をおいて、カップリングケース１内に設けられ、その端部外周に設けられた外歯７が、第２のギヤ体１ｂの内歯５に噛合している。第２のギヤ体１ａに設けられたＯリング９ｂは、従動側カップリングセンター３の側面に当接して、カップリングケース１内に充填されたオイルが外部に漏れ出すのを防止している。このような従動側カップリングセンター３には、図示しない従動側機械の主軸が嵌入される。
【００１８】
この構成において、駆動側機械が駆動されると、駆動側カップリングセンター２が回転し、その駆動力が外歯６、内歯４、内歯５、外歯７の順に伝達されて、カップリングケース１及び従動側カップリングセンター３が、駆動側カップリングセンター２と一体に回転することで、従動側機械が駆動される。
【００１９】
カップリングケース１の第２のギヤ体１ａの凹部１４には、図２（ａ）、（ｂ）に示すようなクラッチ２０のカムフォロア２１が嵌っている。カムフォロア２１は、アーム２３により位置が固定されており、カップリングケース１が回転すると凹部１４と擦れるため、カップリングケース１の回転に影響しない。また、カムフォロア２１が凹部１４に嵌っているために、駆動時のカップリングケース１のスラスト方向へのずれが抑制されている。
【００２０】
そして、ギヤカップリング装置１０の停止時に、クラッチ２０のレバー２２がＣ方向に押されると、レバー２２とアーム２３とを支持する軸体２４が回転して、カムフォロア２１がＣ方向に移動するため、カムフォロア２１の側面が図１に示す凹部１４の左側側面１４ａを押圧する。これにより、カップリングケース１が、Ａ方向にスライドする。
【００２１】
図３に示すように、カップリングケース１がスライドすると、駆動側カップリングセンター２の外歯６と、カップリングケース１の内歯４との噛合が外れる。この状態で、複数の点検口１１の各々から閉鎖部材１３を介して、カップリングケース１の内部を覗けば、駆動側カップリングセンター２の外歯６の歯面を直視することができる。
【００２２】
そして、駆動側機械を駆動させて、駆動側カップリングセンター２を少しずつ空回りさせていくと、外歯６の歯面の磨耗具合を全周に亙って点検することができる。
【００２３】
なお、図４に示すように、内歯４と外歯６との噛合を完全に外してしまわなくてもよい。この場合、駆動側カップリングセンター２を空回りさせることはできないが、歯面を数枚点検するような簡易的な点検は可能である。
【００２４】
点検が終われば、ギヤカップリング装置１０の停止時に、図２のレバー２２をＤ方向に引き戻す（図２参照）。カムフォロア２１の側面が凹部１４の右側側面１４ｂを押圧することにより（図３参照）、カップリングケース１はＥ方向に移動し、元の状態（図１参照）に戻る。
【００２５】
なお、従動側カップリングセンター３の外歯７の歯面の磨耗具合を点検する際には、レバー２２をＤ方向に押して（図２参照）、カップリングケース１をＢ方向にスライドさせ、外歯７と内歯５との噛合いを外せばよい。従動側カップリングセンター３を少しずつ空回りさせることで、外歯７の歯面の磨耗具合を全周に亙って点検することができる。なお、従動側の負荷が大きく、従動側カップリングセンター３を空回りさせられない場合は、駆動側機械の駆動により、カップリングケース１を少しずつ空回りさせながら、外歯７の歯面の磨耗具合を全周に亙って点検することもできる。
【００２６】
以上のように、本実施の形態の歯面点検機構を有するギヤカップリング装置１０は、カップリングケース１を内歯４，５と外歯６，７との噛合が外れる方向にスライドさせたときに、カップリングケース１内に直列に設けられた２つのカップリングセンター２，３の各々の外歯６，７の歯面を直視可能な位置に位置する点検口１１，１２をカップリングケース１に備えた構成にされている。これにより、カップリングケース１をスライドさせて、点検口１１，１２から外歯６，７の歯面を直視することで、カップリングケース１を分解することなく、２つのカップリングセンター２，３の各々の外歯６，７の歯面を点検することができる。更に、カップリングセンター２，３を空回りさせれば、外歯６，７の歯面を全周に亙って点検することができる。
【００２７】
また、点検口１１，１２を塞ぐ閉鎖部材１３を更に備えた構成にされている。これにより、点検口１１，１２から外歯６，７の歯面を点検できると共に、点検口１１，１２をオイル交換にも利用できる。
【００２８】
また、閉鎖部材１３が、透明性のある材質でできているため、閉鎖部材１３を外すことなく、外歯６，７の歯面を点検することができる。
【００２９】
また、点検口１１，１２が、周方向に複数設けられた構成にされている。これにより、点検作業をしやすい位置に位置した点検口１１，１２から外歯６，７の歯面を点検することができて、点検作業が楽になる。
【００３０】
また、本発明を好適な実施の形態に基づいて説明したが、本発明はその趣旨を超えない範囲において変更が可能である。即ち、閉鎖部材は、透明性のある材質でできていなくてもよい。この場合には、閉鎖部材を取り外して、外歯の歯面を点検すればよい。
【００３１】
また、点検口は周方向に複数設けられていなくてもよい。この場合、点検口を点検作業をしやすい位置に位置させれば、駆動側カップリングセンター又は従動側カップリングセンターの空回りにより、外歯全周の点検作業を好適に行える。
【図面の簡単な説明】
【００３２】
【図１】カップリングケースのスライド前のギヤカップリング装置の断面図である。
【図２】クラッチの説明図であり、（ａ）は正面図、（ｂ）は側面図である。
【図３】カップリングケースのスライド後のギヤカップリング装置の断面図である。
【図４】カップリングケースのスライド後のギヤカップリング装置の断面図である。
【符号の説明】
【００３３】
１    カップリングケース
１ａ    第１のギヤ体
１ｂ    第２のギヤ体
２    駆動側カップリングセンター
３    従動側カップリングセンター
４    内歯
５    内歯
６    外歯
７    外歯
８ａ    ボルト
８ｂ    ナット
９ａ，９ｂ    Ｏリング
１０    ギヤカップリング装置
１１，１２    点検口
１３    閉鎖部材
１４    凹部
１４ａ    左側側面
１４ｂ    右側側面
２０    クラッチ
２１    カムフォロア
２２    レバー
２３    アーム
２４    軸体
【図１】
2006170402.tif 000003
【図２】
2006170402.tif 000004
【図３】
2006170402.tif 000005
【図４】
2006170402.tif 000006